(57)【特許請求の範囲】
【請求項１】
コーナー先端を切り欠いた切欠部と、切欠部の周囲に上面から所定深さ下がった低段部を四分の一円形で形成した床パネルを基礎床面から起立する外周にねじが形成された支持脚の上部にねじ止めされる支持板に一体的に被せられ、中央に支持脚を取り囲む薄い肉厚の筒状部を形成した敷板でコーナーを突き合わせて支持し、切欠部から筒状部に挿入されて内周に形成されたねじで支持脚の外周に形成されたねじにねじ込みできる胴部と、胴部をねじ込んだときに低段部を押圧する頭部とを有するパネル押えで支持脚に固定するフリーアクセスフロアにおける床パネルの固定構造において、胴部の上部外周に凸部を周方向に点在的に形成するとともに、筒状部の上部内周に凸部と噛合い可能な凹部を周方向に点在的に形成し、これら凸部と凹部が噛みあったとき、パネル押えを締める方向の回転抵抗は弱く、緩める方向の回転抵抗は強くなる関係にしたことを特徴とするフリーアクセスフロアにおける床パネルの固定構造。
【請求項２】
凸部と凹部が締める方向と緩める方向に共に斜面を有しており、緩める方向の斜面の傾斜を締める方向の斜面の傾斜よりも急にした請求項１のフリーアクセスフロアにおける床パネルの固定構造。
【請求項３】
凸部の数は凹部の数よりも少なくした請求項１又は２のフリーアクセスフロアにおける床パネルの固定構造。
【発明の詳細な説明】
【技術分野】
【０００１】
本発明は、基礎床面と床パネルとの間に配線スペースを確保するフリーアクセスフロアにおける床パネルの固定構造に関するものである。
【背景技術】
【０００２】
床パネルを基礎床面上に敷架するのは、基礎床面から床パネルのコーナーに位置する個所で支持脚を起立させ、この支持脚に支持板を係止し、支持板に床パネルの仕切体を設けた敷板を被せ、敷板で床パネルを位置規制して支持していた。この場合、基礎床面の不陸や床パネルのレベル出しのために支持板の高さを調整する必要があるが、多くの場合、支持脚にねじを形成し、支持板にもねじを形成してこのねじを支持脚のねじにねじ込んでその高さを調整していた。
【０００３】
ところで、床パネルには繰り返し荷重がかかる上に部分的に大きな荷重がかかる場合もある。このような場合でも、支持板は緩んで沈下してはならないので、支持板を緩み止めのダブルナット等を締めて緩みを防止していた。しかし、これによると、緩みを回復させたり、高さを調整するときには、ナット及び支持板を回転させる必要があるが、そのときには敷板に載っている四枚すべての床パネルを外さなければならないし、多くの回転体を操作しなければならず、非常に面倒であった。
【０００４】
そこで、下記特許文献１には、支持板と敷板との向合部位に相互に噛み合う凹凸を設け、常時は凹凸を噛み合わせて緩みを防ぐものが提案されている。この場合、支持板を強い力で回転させると、この凹凸が外れるようにしていた。これによると、凹凸が噛み合っている限り、敷板は床パネルで位置規制されているから支持板は回転せず、したがって、支持板の回転、つまり、支持板の沈下は避けられるというものである。また、支持板を回転させる操作も床パネルを一枚外せばできるという利点も有している。
【０００５】
一方で、床パネルも敷板に固定しなければならないから、床パネルのコーナーに切欠を設け、この切欠に床パネルを上から押圧するパネル押えを嵌め込んで支持脚にねじ込む方法をとっていた。したがって、パネル押えの緩みも防止する必要があったが、上記した先行文献１には、敷板の下部に凸部を設けるとともに、パネル押えの下部にもこの凸部が入り込む凹部を形成し、凸部と凹部を噛み合わせていた。
【０００６】
この構造によると、パネル押えの緩みを防止するためには総じて大きな締付力を必要とし、締付け作業が負担になっていた。また、パネル押えの締付けは床パネルメーカーごとに設定されていることから、一旦施工した後に電気工事等の関係で当該施工業者以外の業者が床パネルを外して再施工するような場合、設定されている締付力で締め付けられていないこともあった。
【先行技術文献】
【特許文献】
【０００７】
【特許文献１】特開２０００−２３４４３５号公報
【発明の概要】
【発明が解決しようとする課題】
【０００８】
本発明は、パネル押えの緩みを防止することで締付力を比較的軽く設定でき、パネル押えの締付け作業の負担を軽減できるようにしたものである。
【課題を解決するための手段】
【０００９】
以上の課題の下、本発明は、請求項１に記載した、コーナー先端を切り欠いた切欠部と、切欠部の周囲に上面から所定深さ下がった低段部を四分の一円形で形成した床パネルを基礎床面から起立する外周にねじが形成された支持脚の上部にねじ止めされる支持板に一体的に被せられ、中央に支持脚を取り囲む薄い肉厚の筒状部を形成した敷板でコーナーを突き合わせて支持し、切欠部から筒状部に挿入されて内周に形成されたねじで支持脚の外周に形成されたねじにねじ込みできる胴部と、胴部をねじ込んだときに低段部を押圧する頭部とを有するパネル押えで支持脚に固定するフリーアクセスフロアにおける床パネルの固定構造において、胴部の上部外周に凸部を周方向に点在的に形成するとともに、筒状部の上部内周に凸部と噛合い可能な凹部を周方向に点在的に形成し、これら凸部と凹部が噛みあったとき、パネル押えを締める方向の回転抵抗は弱く、緩める方向の回転抵抗は強くなる関係にしたことを特徴とするフリーアクセスフロアにおける床パネルの固定構造を提供したものである。
【００１０】
これにおいて、請求項２に記載した、凸部と凹部が締める方向と緩める方向に共に斜面を有しており、緩める方向の斜面の傾斜を締める方向の斜面の傾斜よりも急にした手段、請求項３に記載した、凸部の数は凹部の数よりも少なくした手段を提供する。
【発明の効果】
【００１１】
れにおいて、請求項２に記載した、凸部と凹部が締める方向と緩める方向に共に斜面を有しており、緩める方向の斜面の傾斜を締める方向の斜面の傾斜よりも急にした手段によれば、回転抵抗の大小が簡単に調整できる。請求項３に記載した、凸部の数は凹部の数よりも少なくした手段によれば。凸部の噛合いは少なくなり、摩耗を減らせる。
【図面の簡単な説明】
【００１２】
【図１】床パネルと支持脚の関係を示す斜視図である。
【図２】床パネルと支持脚の関係を示す要部の斜視図である。
【図３】パネル押えの斜視図である。
【図４】パネル押えの側面図である。
【図５】支持脚で床パネルを支持した場合の一部平面図である。
【図６】図５のＡーＡ断面図である。
【図７】図６のＢ部拡大断面側面図である。
【図８】パネル押えの胴部と敷板の筒状部の関係を示す要部断面平面図である。
【図９】凸部と凹部が噛み合っている状態を示す断面平面図である。
【図１０】凸部と凹部が噛み合っていない状態を示す断面平面図である。
【発明を実施するための形態】
【００１３】
以下、本発明の実施の形態を図面を参照して説明する。図１は本発明の一例を示す床パネルの敷設状態を示す斜視図、図２は要部の斜視図であるが、基礎床面１上に固定された接地板２から外周にねじが形成された支持脚３を起立させ、支持脚３の上部に支持板４をねじ止めする。支持板４には敷板５が一体的に（回転不能）に被せられるが、支持板４及び敷板５には支持脚３を挿通できる挿入孔６が形成されている。敷板５の上にはコーナーを突き合わせた四枚の床パネル７が載置されるが、床パネル７はその底面に小さいサイズの底面部材７ａが突設されており、敷板５に形成される仕切体８に底面部材７ａがコーナーの二面に当接されていて床パネル７はこれで位置規制されている。
【００１４】
さらに、床パネル７のコーナーには先端に切欠部９が形成され、その周囲には上面から所定深さ下がった低段部１０も形成されている。そこで、コーナーを集合させた床パネル７の切欠部９で形成された孔から内周にねじが形成された胴部１１ａを有するパネル押え１１を挿入孔６に挿入して支持脚３にねじ込む。このとき、パネル押え１１の上部には径の大きな頭部１１ｂが形成されており、この頭部１１ｂが床パネル７の低段部１０を締め付けて床パネル７は支持脚３に固定される。この場合、敷板５における仕切体８の内側は凹陥部１２となっており、この凹陥部１２の内端に比較的薄い肉厚の筒状部１３が上下に延設してあり、パネル押え１１はこの筒状部１３に挿入されるようになっている。
【００１５】
本発明は、以上のパネル押え１１の胴部１１ａと敷板５の筒状部１３の関係に関するものであり、図２、図３及び図４に示すように、胴部１１ａの外周に凸部１４を点在的に形成し、筒状部１３の内周に凸部１４に噛み込むことができる凹部１５を形成したものである。なお、凸部１４を筒状部１３に凹部１５を胴部１１ａに形成してもよい。また、凸部１４や凹部１５の数や突出量（凹み量）は任意であり、これについては後述する。この場合、パネル押え１１も敷板５も樹脂で構成されるが、特に、筒状部１３については、変形し易くすることで凸部又は凹部が摩耗することを軽減することができるから、筒状部１３の肉厚はそれほど大きくしないのが適する。
【００１６】
図５は支持脚３で床パネル７を支持した場合の一部平面図、図６は図５のＡーＡ断面図であるが、支持板４（敷板５）の高さを調整し、この上に床パネル７を敷き詰めてパネル押え１１をねじ込んで行き（上面に工具挿入孔１１ｃ等が形成されている）、所定の締付力で締め付ける。締付け最終で凸部と凹部が噛み合うのがもっとも好ましいが、途中であってもよいのは上記したとおりである。このとき、敷板５は床パネル７で位置が規制されるから、敷板５自身は支持脚３に対して回転することはない。
【００１７】
図８は凸部１４と凹部１５との関係を示す要部の拡大平面図、図９及び図１０は噛合いの状態を示す平面断面図であるが、パネル押え１１の締切り間際に噛み合ったり、外れたりするが、締め切ったときに凸部１４と凹部１５が噛み合うのが適しているが、途中であってもかまわないのは上記したとおりである。なお、凸部１４が凹部１５を外れた個所では、凸部１４は筒状部１３の内面を滑らなくてはならないが、このとき、筒状部１３の肉厚をそれほど厚くしないことがこれに寄与している。また、凸部１４の突出量を小さくするのも摩耗を防ぐ意味で意義がある。一方で、必要な回転抵抗を発生させる必要があるから、その数を多くして対応するようにしておく。本例では、凸部１４を四個、凹部１５を八個、いずれも等分に配しているが、もちろん、数もこれに限定されるものではないし、凹部１５の数までは凸部１４を多くしてもよい。
【００１８】
パネル押え１１を所定の締付力で締め付けると、パネル押え１１でのねじ込みは完了したことになる。このとき、凸部１４と凹部１５の噛合いの関係は、操作性と緩み防止の見地から、パネル押え１１を緩める方向（上昇させる方向）の操作力（回転抵抗）は強く、締める方向（降下させる方向）の操作力（回転抵抗）は弱くなるようにしておく。具体的には、凸部１４と凹部１５を共に斜面によって形成し、締める方向の傾斜は緩くし、緩める方向の傾斜は急にすることが考えられる。
【００１９】
ところで、敷板５は支持板４に対して一体的（回転不能）に被着することは上述したが、これは、支持板４が床パネルの振動や荷重に対して支持脚３の周囲を回転して沈下し、その結果、敷板５も沈下してパネル押え１１が緩むことを防止している。敷板５は床パネル７に対して位置が規制されて回転することはないから、敷板５と支持板４が一定的であることは、この現象によるパネル押え１１の緩みも防止する。図７は敷板５と支持板４との組み合わせを示す要部の断面平面図であるが、支持板４の外周に切欠１６を何カ所か形成し、敷板５の内周面にこの切欠１６に入り込む凸部１７を形成している。これにより、支持板４の回転はロックされていることになる。
【符号の説明】
【００２０】
１        基礎床面
２        接地板
３        支持脚
４        支持板
５        敷板
６        挿入孔
７        床パネル
７ａ          〃の底面部材
８        仕切体
９        切欠部
１０      低段部
１１      パネル押え
１１ａ        〃の胴部
１１ｂ        〃の頭部
１１ｃ        〃の工具挿入孔
１２      凹陥部
１３      筒状部
１４      凸部
１５      凹部
１６      切欠
１７      凸部
【図１】
0005765803.tif 000002
【図２】
0005765803.tif 000003
【図３】
0005765803.tif 000004
【図４】
0005765803.tif 000005
【図５】
0005765803.tif 000006
【図６】
0005765803.tif 000007
【図７】
0005765803.tif 000008
【図８】
0005765803.tif 000009
【図９】
0005765803.tif 000010
【図１０】
0005765803.tif 000011